(57)【要約】【課題】ＭＵ−ＭＩＭＯ(Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ)をサポートする無線ＬＡＮシステムにおける多重フレーム送信方法を提供する。【解決手段】前記方法は、第１のステーション(Ｓｔａｔｉｏｎ；ＳＴＡ)に第１のフレームと第２のフレームを連続して送信し、第２のＳＴＡに第３のフレームと第４のフレームを連続して送信することを含み、前記第１のフレームの送信開始時点と前記第３のフレームの送信開始時点は一致し、前記第２のフレームの送信開始時点と前記第４のフレームの送信開始時点は一致する。【選択図】図５
2014143715.tif 000002
【特許請求の範囲】
【請求項１】
ＷＬＡＮ（ｗｉｒｅｌｅｓｓ  ｌｏｃａｌ  ａｒｅａ  ｎｅｔｗｏｒｋ）システムにおけるＭＩＭＯ（ｍｕｌｔｉ  ｕｓｅｒ  ｍｕｌｔｉｐｌｅ  ｉｎｐｕｔ  ｍｕｌｔｉｐｌｅ  ｏｕｔｐｕｔ）通信のための方法であって、
前記方法は、受信ステーションにより実行され、
前記方法は、
複数のＡ−ＭＰＤＵ（Ａｇｇｒｅｇａｔｅ−Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）サブフレームを含むＡ−ＭＰＤＵを受信することを含み、
前記複数のＡ−ＭＰＤＵサブフレームの各々は、ＭＰＤＵ（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）デリミタフィールドを含み、前記複数のＡ−ＭＰＤＵサブフレームの各々は、ゼロ以上のパディングオクテットをさらに含み、
前記ＭＰＤＵデリミタフィールドは、ナルフィールドおよびＭＰＤＵ長さフィールドを含み、前記ナルフィールドは、対応するＡ−ＭＰＤＵサブフレームが前記Ａ−ＭＰＤＵをパディングするのに使われるか否かを示し、前記ＭＰＤＵ長さフィールドは、前記対応するＡ−ＭＰＤＵサブフレームのＭＰＤＵの長さを示し、
前記ナルフィールドは、１ビット情報フィールドであり、前記対応するＡ−ＭＰＤＵサブフレームにＭＰＤＵが存在しないか否かに基づいて設定される、方法。
【請求項２】
前記ナルフィールドは、前記対応するＡ−ＭＰＤＵサブフレームにＭＰＤＵが存在しない場合に１に設定される、請求項１に記載の方法。
【請求項３】
前記ＭＰＤＵデリミタフィールドは、４バイト情報であり、直後にＭＰＤＵが続き、前記ＭＰＤＵの直後にパディングフィールドが続く、請求項１に記載の方法。
【請求項４】
前記ＭＰＤＵデリミタフィールドは、ＣＲＣ（Ｃｙｃｌｉｃ  Ｒｅｄｕｎｄａｎｃｙ  Ｃｈｅｃｋ）フィールドをさらに含み、前記ＣＲＣフィールドの直後にデリミタシグネチャフィールドが続く、請求項１に記載の方法。
【請求項５】
前記対応するＡ−ＭＰＤＵサブフレームの前記ＭＰＤＵは、前記ナルフィールドが「１」に設定される場合に、ナルデータのみを含む、請求項１に記載の方法。
【請求項６】
前記ナルデータの各ビットは、「１」に設定される、請求項５に記載の方法。
【請求項７】
ＷＬＡＮ（ｗｉｒｅｌｅｓｓ  ｌｏｃａｌ  ａｒｅａ  ｎｅｔｗｏｒｋ）システムにおけるＭＩＭＯ（ｍｕｌｔｉ  ｕｓｅｒ  ｍｕｌｔｉｐｌｅ  ｉｎｐｕｔ  ｍｕｌｔｉｐｌｅ  ｏｕｔｐｕｔ）通信のための受信ステーションであって、
前記受信ステーションは、
無線周波数ユニットと、
前記無線周波数ユニットに連結されたプロセッサと
を備え、
前記プロセッサは、
複数のＡ−ＭＰＤＵ（Ａｇｇｒｅｇａｔｅ−Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）サブフレームを含むＡ−ＭＰＤＵを受信するように構成され、
前記複数のＡ−ＭＰＤＵサブフレームの各々は、ＭＰＤＵ（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）デリミタフィールドを含み、前記複数のＡ−ＭＰＤＵサブフレームの各々は、ゼロ以上のパディングオクテットをさらに含み、
前記ＭＰＤＵデリミタフィールドは、ナルフィールドおよびＭＰＤＵ長さフィールドを含み、前記ナルフィールドは、対応するＡ−ＭＰＤＵサブフレームが前記Ａ−ＭＰＤＵをパディングするのに使われるか否かを示し、前記ＭＰＤＵ長さフィールドは、前記対応するＡ−ＭＰＤＵサブフレームのＭＰＤＵの長さを示し、
前記ナルフィールドは、１ビット情報フィールドであり、前記対応するＡ−ＭＰＤＵサブフレームにＭＰＤＵが存在しないか否かに基づいて設定される、受信ステーション。
【発明の詳細な説明】
【技術分野】
【０００１】
本発明は、無線通信に関し、より詳しくは、ＭＵ−ＭＩＭＯ(ｍｕｌｔｉ  ｕｓｅｒ  ｍｕｌｔｉｐｌｅ  ｉｎｐｕｔ  ｍｕｌｔｉｐｌｅ  ｏｕｔｐｕｔ)をサポートする無線ＬＡＮシステムにおける多重フレーム送信方法及びこれをサポートする無線装置に関する。
【背景技術】
【０００２】
最近、情報通信技術の発展とともに多様な無線通信技術が開発されている。このうち無線ＬＡＮ(ＷＬＡＮ)は、無線周波数技術に基づいて個人携帯用情報端末機(Ｐｅｒｓｏｎａｌ  Ｄｉｇｉｔａｌ  Ａｓｓｉｓｔａｎｔ；ＰＤＡ)、ラップトップコンピュータ、携帯型マルチメディアプレーヤ(Ｐｏｒｔａｂｌｅ  Ｍｕｌｔｉｍｅｄｉａ  Ｐｌａｙｅｒ；ＰＭＰ)などのような携帯型端末機を用いて家庭や企業または特定サービス提供地域で無線でインターネットに接続することができるようにする技術である。
【０００３】
ＷＬＡＮ技術の標準化機構であるＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)８０２が１９８０年２月に設立された以来、多くの標準化作業が実行されている。初期のＷＬＡＮ技術は、ＩＥＥＥ８０２.１１を介して２.４ＧＨｚ周波数を使用して周波数ホッピング、帯域拡散、赤外線通信などで１〜２Ｍｂｐｓの速度をサポートした以来、最近にはＯＦＤＭ(Ｏｒｔｈｏｇｏｎａｌ  Ｆｒｅｑｕｅｎｃｙ  Ｄｉｖｉｓｉｏｎ  Ｍｕｌｔｉｐｌｅｘ)を適用して最大５４Ｍｂｐｓの速度をサポートすることができる。その他、ＩＥＥＥ８０２.１１ではＱｏＳ(Ｑｕａｌｉｔｙ  ｆｏｒ  Ｓｅｒｖｉｃｅ)の向上、アクセスポイント(ＡｃｃｅｓｓＰｏｉｎｔ)プロトコル互換、セキュリティ強化(Ｓｅｃｕｒｉｔｙ  Ｅｎｈａｎｃｅｍｅｎｔ)、無線リソース測定(Ｒａｄｉｏ  Ｒｅｓｏｕｒｃｅ  ｍｅａｓｕｒｅｍｅｎｔ)、車両環境のための無線接続(Ｗｉｒｅｌｅｓｓ  Ａｃｃｅｓｓ  Ｖｅｈｉｃｕｌａｒ  Ｅｎｖｉｒｏｎｍｅｎｔ)、速いローミング(Ｆａｓｔ  Ｒｏａｍｉｎｇ)、メッシュネットワーク(Ｍｅｓｈ  Ｎｅｔｗｏｒｋ)、外部ネットワークとの相互作用(Ｉｎｔｅｒｗｏｒｋｉｎｇ  ｗｉｔｈ  Ｅｘｔｅｒｎａｌ  Ｎｅｔｗｏｒｋ)、無線ネットワーク管理(Ｗｉｒｅｌｅｓｓ  ｎｅｔｗｏｒｋ  Ｍａｎａｇｅｍｅｎｔ)等、多様な技術の標準を実用化または開発中である。
【０００４】
また、無線ＬＡＮで脆弱点と指摘されてきた通信速度に対する限界を克服するために、比較的最近に制定された技術規格としてＩＥＥＥ８０２.１１ｎがある。ＩＥＥＥ８０２.１１ｎは、ネットワークの速度と信頼性を増加させ、無線ネットワークの運営距離を拡張することを目的にする。より具体的に、ＩＥＥＥ８０２.１１ｎでは、データ処理速度が最大５４０Ｍｂｐｓ以上である高処理率(ＨｉｇｈＴｈｒｏｕｇｈｐｕｔ；ＨＴ)をサポートし、また、送信エラーを最小化してデータ速度を最適化するために、送信部と受信部の両方に多重アンテナを使用するＭＩＭＯ(Ｍｕｌｔｉｐｌｅ  Ｉｎｐｕｔｓ  Ｍｕｌｔｉｐｌｅ  Ｏｕｔｐｕｔｓ)技術に基づいている。また、この規格は、データ信頼性を高めるために、重複する写本を複数個送信するコーディング方式を使用するだけでなく、速度を増加させるために、直交周波数分割多重(Ｏｒｔｈｏｇｏｎａｌ  Ｆｒｅｑｕｅｎｃｙ  Ｄｉｖｉｓｉｏｎ  Ｍｕｌｔｉｐｌｅｘ；ＯＦＤＭ)を使用することもできる。
【０００５】
ＷＬＡＮの普及が活性化され、これを用いたアプリケーションが多様化されることによって、最近にはＩＥＥＥ８０２.１１ｎがサポートするデータ処理速度より高い処理率をサポートするための新たなＷＬＡＮシステムに対する必要性が台頭されている。然しながら、ＩＥＥＥ８０２.１１ｎ媒体接続制御(ＭｅｄｉｕｍＡｃｃｅｓｓ  Ｃｏｎｔｒｏｌ；ＭＡＣ)/物理階層(Ｐｈｙｓｉｃａｌ  Ｌａｙｅｒ；ＰＨＹ)プロトコルは、１Ｇｂｐｓ以上のスルーフットの提供時に効果的でない。なぜならば、ＩＥＥＥ８０２.１１ｎＭＡＣ/ＰＨＹプロトコルは、単一ＳＴＡ、即ち、一つのネットワークインターフェースカード(Ｎｅｔｗｏｒｋ  Ｉｎｔｅｒｆａｃｅ  Ｃａｒｄ；ＮＩＣ)を有するＳＴＡの動作のためのものであり、既存のＩＥＥＥ８０２.１１ｎＭＡＣ/ＰＨＹプロトコルをそのまま維持しつつフレームの処理量を増加させる場合、これによって付加的に発生するオーバーヘッド(Ｏｖｅｒｈｅａｄ)も増加するためである。結局、既存のＩＥＥＥ８０２.１１ｎＭＡＣ/ＰＨＹプロトコル、即ち、単一ＳＴＡアーキテクチャをそのまま維持しつつ無線通信ネットワークのスルーフットを向上させることは限界がある。
【０００６】
従って、無線通信ネットワークで１Ｇｂｐｓ以上のデータ処理速度を達成するためには既存の単一ＳＴＡアーキテクチャであるＩＥＥＥ８０２.１１ｎＭＡＣ/ＰＨＹプロトコルとは異なる新たなシステムが要求される。ＶＨＴ(ＶｅｒｙＨｉｇｈ  Ｔｈｒｏｕｇｈｐｕｔ)無線ＬＡＮシステムは、ＩＥＥＥ８０２.１１ｎ無線ＬＡＮシステムの次バージョンであり、ＭＡＣサービス接続ポイント(Ｓｅｒｖｉｃｅ  Ａｃｃｅｓｓ  Ｐｏｉｎｔ；ＳＡＰ)で１Ｇｂｐｓ以上のデータ処理速度をサポートするために、最近に新たに提案されているＩＥＥＥ８０２.１１無線ＬＡＮシステムのうち一つである。
【０００７】
ＶＨＴ無線ＬＡＮシステムは、無線チャネルを効率的に用いるために、複数のＶＨＴ  ＳＴＡが同時にチャネルにアクセスして使用することを許容する。このために、多重アンテナを用いたＭＵ−ＭＩＭＯ(ｍｕｌｔｉ  ｕｓｅｒ  ｍｕｌｔｉｐｌｅ  ｉｎｐｕｔ  ｍｕｌｔｉｐｌｅ  ｏｕｔｐｕｔ)方式の送信をサポートする。ＶＨＴ  ＡＰは、複数のＶＨＴ  ＳＴＡに空間多重化(ｓｐａｔｉａｌ  ｍｕｌｔｉｐｌｅｘｉｎｇ)されたデータを送信するＳＤＭＡ(ｓｐａｔｉａｌ  ｄｉｖｉｓｉｏｎ  ｍｕｌｔｉｐｌｅ  ａｃｃｅｓｓ)送信が可能である。
【０００８】
然しながら、ＭＵ−ＭＩＭＯをサポートする無線ＬＡＮシステムで、複数のＳＴＡに同時にフレームを送信する場合、各々のＳＴＡに対して送信すべきデータの量が異なって各ＳＴＡ間の同期化が維持されない場合があり、これは無線リソース利用の効率を落とし、ＳＴＡの複雑度を高め、具現費用を増加させる問題を招くことができる。このような問題は、複数のＳＴＡの各々に対して多重フレームを送信する場合にさらに著しく発生することができ、このような問題点を解決するためのフレーム送信方法に対する考慮が必要である。
【発明の概要】
【発明が解決しようとする課題】
【０００９】
本発明が解決しようとする課題は、ＭＵ−ＭＩＭＯをサポートする無線ＬＡＮシステムで多重フレーム送信方法を提供することである。
【００１０】
本発明が解決しようとする他の課題は、ＭＵ−ＭＩＭＯをサポートする無線ＬＡＮシステムで多重フレーム送信方法をサポートする無線装置を提供することである。
【課題を解決するための手段】
【００１１】
本発明の一態様において、ＭＵ−ＭＩＭＯ(Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ)をサポートする無線ＬＡＮシステムにおける多重フレーム送信方法は、第１のステーション(Ｓｔａｔｉｏｎ；ＳＴＡ)に第１のフレームと第２のフレームを連続して送信し、及び第２のＳＴＡに第３のフレームと第４のフレームを連続して送信することを含み、前記第１のフレームの送信開始時点と前記第３のフレームの送信開始時点は一致し、前記第２のフレームの送信開始時点と前記第４のフレームの送信開始時点は一致する。
【００１２】
前記第１のフレームの長さと前記第３のフレームの長さの差ほど前記第１のフレームと前記第３のフレームのうち短いフレームにナルデータをパディングし、前記第１のフレームの長さと前記第３のフレームの長さを同じにする。
【００１３】
前記第１のフレーム及び第３のフレームは、Ａ−ＭＰＤＵフォーマットである。
【００１４】
前記第１のフレームを構成する各Ａ−ＭＰＤＵサブフレームは、後続するＡ−ＭＰＤＵがナルデータか否かを指示するナルビットを含む。
【００１５】
前記ナルビットが、前記ナルビットを含むＡ−ＭＰＤＵサブフレームに後続するＡ−ＭＰＤＵサブフレームがナルデータであることを指示する場合、前記第１のステーションは、前記ナルビットを含むＡ−ＭＰＤＵサブフレームに後続するＡ−ＭＰＤＵサブフレームを廃棄する。
【００１６】
本発明の他の態様において、ＭＵ−ＭＩＭＯ(Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ)をサポートする無線ＬＡＮシステムで、ＡＰ(Ａｃｃｅｓｓ  Ｐｏｉｎｔ)により実行される、多重フレーム送信方法は、第１のステーション(Ｓｔａｔｉｏｎ；ＳＴＡ)に第１のフレームと第２のフレームを連続して送信し、及び第２のＳＴＡに第３のフレームと第４のフレームを連続して送信することを含み、前記第１のフレームの送信開始時点と前記第３のフレームの送信開始時点は一致し、前記第１のフレームと前記第２のフレームとの間隔及び前記第３のフレームと前記第４のフレームとの間隔は、ＯＦＤＭシンボル区間の倍数に設定される。
【００１７】
前記ＯＦＤＭシンボル区間は、４μｓである。
【００１８】
前記第１のＳＴＡ及び前記第２のＳＴＡは、前記ＡＰから、前記第１のフレームと前記第２のフレームとの間隔及び前記第３のフレームと前記第４のフレームとの間隔がＯＦＤＭシンボル区間の倍数に設定されるＩＦＳ設定情報を受信する。
【００１９】
前記ＩＦＳ設定情報は、ビーコンフレームを介して前記第１のＳＴＡ及び前記第２のＳＴＡに送信される。
【００２０】
本発明の他の態様において、多重フレームを送信するＡＰは、多重フレームを送信する送受信機及び前記送受信機と機能的に連結されているプロセッサを含み、前記プロセッサは、第１のステーション（Ｓｔａｔｉｏｎ；ＳＴＡ）に第１のフレームと第２のフレームを連続して送信し、及び第２のＳＴＡに第３のフレームと第４のフレームを連続して送信するように設定され、前記第１のフレームの送信開始時点と前記第３のフレームの送信開始時点を一致させ、前記第２のフレームの送信開始時点と前記第４のフレームの送信開始時点を一致させるように設定される。
（項目１）
ＭＵ−ＭＩＭＯ（Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）をサポートする無線ＬＡＮシステムにおける多重フレーム送信方法において、
第１のステーション（Ｓｔａｔｉｏｎ；ＳＴＡ）に第１のフレームと第２のフレームを連続して送信し、及び
第２のＳＴＡに第３のフレームと第４のフレームを連続して送信し、
前記第１のフレームの送信開始時点と前記第３のフレームの送信開始時点は一致し、
前記第２のフレームの送信開始時点と前記第４のフレームの送信開始時点は一致する、多重フレーム送信方法。
（項目２）
前記第１のフレームの長さと前記第３のフレームの長さの差ほど前記第１のフレームと前記第３のフレームのうち短いフレームにナルデータをパディングし、前記第１のフレームの長さと前記第３のフレームの長さを同じにする、項目１に記載の多重フレーム送信方法。
（項目３）
前記第１のフレーム及び第３のフレームは、Ａ−ＭＰＤＵフォーマットである、項目２に記載の多重フレーム送信方法。
（項目４）
前記第１のフレームを構成する各Ａ−ＭＰＤＵサブフレームは、後続するＡ−ＭＰＤＵがナルデータか否かを指示するナルビットを含む、項目３に記載の多重フレーム送信方法。
（項目５）
前記ナルビットが、前記ナルビットを含むＡ−ＭＰＤＵサブフレームに後続するＡ−ＭＰＤＵサブフレームがナルデータであることを指示する場合、前記第１のステーションは、前記ナルビットを含むＡ−ＭＰＤＵサブフレームに後続するＡ−ＭＰＤＵサブフレームを廃棄する、項目４に記載の多重フレーム送信方法。
（項目６）
ＭＵ−ＭＩＭＯ（Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）をサポートする無線ＬＡＮシステムで、ＡＰ（Ａｃｃｅｓｓ  Ｐｏｉｎｔ）により実行される多重フレーム送信方法において、
第１のステーション（Ｓｔａｔｉｏｎ；ＳＴＡ）に第１のフレームと第２のフレームを連続して送信し、及び
第２のＳＴＡに第３のフレームと第４のフレームを連続して送信し、
前記第１のフレームの送信開始時点と前記第３のフレームの送信開始時点は一致し、
前記第１のフレームと前記第２のフレームとの間隔及び前記第３のフレームと前記第４のフレームとの間隔は、ＯＦＤＭシンボル区間の倍数に設定される、多重フレーム送信方法。
（項目７）
前記ＯＦＤＭシンボル区間は、４μＳである、項目６に記載の多重フレーム送信方法。
（項目８）
前記第１のＳＴＡ及び前記第２のＳＴＡは、前記ＡＰから、前記第１のフレームと前記第２のフレームとの間隔及び前記第３のフレームと前記第４のフレームとの間隔がＯＦＤＭシンボル区間の倍数に設定されるＩＦＳ設定情報を受信する、項目６に記載の多重フレーム送信方法。
（項目９）
前記ＩＦＳ設定情報は、ビーコンフレームを介して前記第１のＳＴＡ及び前記第２のＳＴＡに送信される、項目８に記載の多重フレーム送信方法。
（項目１０）
多重フレームを送信するＡＰにおいて、
多重フレームを送信する送受信機；及び、
前記送受信機と機能的に連結されているプロセッサ；を含み、
前記プロセッサは、第１のステーション（Ｓｔａｔｉｏｎ；ＳＴＡ）に第１のフレームと第２のフレームを連続して送信し、及び
第２のＳＴＡに第３のフレームと第４のフレームを連続して送信し、
前記第１のフレームの送信開始時点と前記第３のフレームの送信開始時点を一致させ、
前記第２のフレームの送信開始時点と前記第４のフレームの送信開始時点を一致させるように設定されたＡＰ。
【発明の効果】
【００２１】
多重フレームの送信時に、オーバーヘッドを減らして無線リソース活用の効率を上げ、無線装置の複雑度を低めて具現費用を節減することができる。
【図面の簡単な説明】
【００２２】
【図１】ＭＵ−ＭＩＭＯ方式によるフレーム送信の一例を示す。
【図２】多重フレーム送信の一例を示す。
【図３】ＳＤＭＡ送信で各ＳＴＡに送信されるフレーム間の同期化が維持されない問題点を示す。
【図４】本発明の一実施例による多重フレーム送信を示す。
【図５】本発明が提案する同期化された(ｓｙｎｃｈｒｏｎｉｚｅｄ)多重フレーム送信方式の一例を示す。
【図６】本発明の実施例に係るナルデータパディングに使われるＡ−ＭＰＤＵサブフレームフォーマットの一例である。
【図７】本発明の実施例が具現される無線装置の一例を示すブロック図である。
【発明を実施するための形態】
【００２３】
以下、図面を参照して本発明の実施例に対して詳細に説明する。
【００２４】
本発明の実施例が具現されるＷＬＡＮ(ｗｉｒｅｌｅｓｓ  ｌｏｃａｌ  ａｒｅａ  ｎｅｔｗｏｒｋ)システムは、少なくとも一つのＢＳＳ(ｂａｓｉｃｓｅｒｖｉｃｅ  ｓｅｔ)を含む。ＢＳＳは、互いに通信するために成功的に同期化されたステーション(ｓｔａｔｉｏｎ；ＳＴＡ)の集合である。ＢＳＳは、独立(Ｉｎｄｅｐｅｎｄｅｎｔ)ＢＳＳ(ＩＢＳＳ)とインフラストラクチャ(Ｉｎｆｒａｓｔｒｕｃｔｕｒｅ)ＢＳＳに分類することができる。
【００２５】
ＢＳＳは、少なくとも一つのＳＴＡとＡＰ(ａｃｃｅｓｓ  ｐｏｉｎｔ)を含む。ＡＰは、ＢＳＳ内のＳＴＡに無線媒体(ｗｉｒｅｌｅｓｓ  ｍｅｄｉｕｍ)を介して連結を提供する機能媒体である。ＡＰは、集中制御器(ｃｅｎｔｒａｌｉｚｅｄ  ｃｏｎｔｒｏｌｌｅｒ)、ＢＳ(ｂａｓｅｓｔａｔｉｏｎ)、スケジューラなどのような他の名称と呼ばれることもある。
【００２６】
ＳＴＡは、ＩＥＥＥ８０２.１１標準を充たすＭＡＣ(ｍｅｄｉｕｍ  ａｃｃｅｓｓ  ｃｏｎｔｒｏｌ)及びＰＨＹ(ｗｉｒｅｌｅｓｓ−ｍｅｄｉｕｍ  ｐｈｙｓｉｃａｌ  ｌａｙｅｒ)インターフェースを含む任意の機能媒体である。ＳＴＡは、ＡＰまたはｎｏｎ−ＡＰ  ＳＴＡであるが、以下、別途に表示しない限りｎｏｎ−ＡＰ  ＳＴＡを意味する。ＳＴＡは、ＵＥ(ｕｓｅｒ  ｅｑｕｉｐｍｅｎｔ)、ＭＳ(ｍｏｂｉｌｅ  ｓｔａｔｉｏｎ)、ＭＴ(ｍｏｂｉｌｅ  ｔｅｒｍｉｎａｌ)、携帯用機器、インターフェースカードなどのような他の名称と呼ばれることもある。
【００２７】
ＳＴＡは、ＶＨＴ−ＳＴＡ、ＨＴ−ＳＴＡ、及びＬ(Ｌｅｇａｃｙ)−ＳＴＡに区分されることができる。ＨＴ−ＳＴＡは、ＩＥＥＥ８０２.１１ｎをサポートするＳＴＡを意味し、Ｌ−ＳＴＡは、ＩＥＥＥ８０２.１１ｎの下位バージョン、例えば、ＩＥＥＥ８０２.１１ａ/ｂ/ｇをサポートするＳＴＡを意味する。Ｌ−ＳＴＡは、ｎｏｎ−ＨＴＳＴＡと呼ばれることもある。
【００２８】
以下、ＡＰからＳＴＡに対する送信をダウンリンク送信(ｄｏｗｎｌｉｎｋ  ｔｒａｎｓｍｉｓｓｉｏｎ)といい、ＳＴＡからＡＰへの送信をアップリンク送信(ｕｐｌｉｎｋｔｒａｎｓｍｉｓｓｉｏｎ)といい、複数のＳＴＡに対して空間多重化(ｓｐａｔｉａｌ  ｍｕｌｔｉｐｌｅｘｉｎｇ)されたＳＤＭＡデータを送信することをＳＤＭＡ送信という。以下、説明の便宜のために、ダウンリンク送信の場合を例示して説明するが、本発明が提案する多重フレーム送信方法は、アップリンク送信においても同じ方式に適用されることができる。
【００２９】
図１は、ＭＵ−ＭＩＭＯ方式によるフレーム送信の一例を示す。
【００３０】
図１の例でＡＰ１００は、ＳＴＡ１、ＳＴＡ２、及びＳＴＡ３に対して空間多重化されたＳＤＭＡデータ１０４をＭＵ−ＭＩＭＯ(ｍｕｌｔｉ  ｕｓｅｒ  ｍｕｌｔｉｐｌｅ  ｉｎｐｕｔ  ｍｕｌｔｉｐｌｅ  ｏｕｔｐｕｔ)送信する。
【００３１】
ＳＴＡ１、ＳＴＡ２、及びＳＴＡ３の各々に対して送信されるデータフレームは、複数のＰＰＤＵ(ｐｈｙｓｉｃａｌ  ｌａｙｅｒ  ｃｏｎｖｅｒｇｅｎｃｅ  ｐｒｏｃｅｄｕｒｅ(ＰＬＣＰ)Ｐｒｏｔｏｃｏｌ  Ｄａｔａ  Ｕｎｉｔ)である。以下、ＡＰが複数のＰＰＤＵをＳＩＦＳ(ｓｈｏｒｔ  ｉｎｔｅｒｆｒａｍｅ  ｓｐａｃｅ)またはＲＩＦＳ(ｒｅｄｕｃｅｄ  ｉｎｔｅｒｆｒａｍｅ  ｓｐａｃｉｎｇ)間隔に連続的に送信することを多重フレーム送信(Ｍｕｌｔｉｐｌｅ  ｆｒａｍｅ  ｔｒａｎｓｍｉｓｓｉｏｎ)という。
【００３２】
ＡＰ１００は、ＳＤＭＡ送信前にＳＤＭＡ送信の対象となるＳＴＡとのチャネル推定(ｃｈａｎｎｅｌ  ｅｓｔｉｍａｔｉｏｎ)のためにＴＲＱ(Ｔｒａｉｎｉｎｇ  ｒｅｑｕｅｓｔ)フレーム１０２を送信する。ＴＲＱフレーム１０２には、ＳＤＭＡ送信の対象となるＳＴＡを指示する情報と送信期間(ｔｒａｎｓｍｉｓｓｉｏｎ  ｄｕｒａｔｉｏｎ)を指示する情報が含まれることができる。ＴＲＱフレーム１０２を受信したＳＴＡは、ＴＲＱフレーム１０２に含まれたＳＤＭＡ送信の対象となるＳＴＡを指示する情報により自体がＳＤＭＡ送信のターゲットＳＴＡか否かを判断し、ＳＤＭＡ送信のターゲットＳＴＡでない場合、送信期間(ｔｒａｎｓｍｉｓｓｉｏｎ  ｄｕｒａｔｉｏｎ)を指示する情報に基づいてＮＡＶ(Ｎｅｔｗｏｒｋ  ＡｌｌｏｃａｔｉｏｎＶｅｃｔｏｒ)を設定し、送信期間(ｔｒａｎｓｍｉｓｓｉｏｎｄｕｒａｔｉｏｎ)中チャネルアクセス(ｃｈａｎｎｅｌ  ａｃｃｅｓｓ)を延期(ｄｅｆｅｒ)することができる。
【００３３】
もし、ＳＤＭＡ送信のターゲットＳＴＡである場合、該当ＳＴＡとＡＰとのチャネル推定に使われるサウンディング(Ｓｏｕｎｄｉｎｇ)ＰＰＤＵをＡＰに送信する。図１の例で、ＳＴＡ１、ＳＴＡ２、及びＳＴＡ３は、送信ターゲットＳＴＡであり、各々、サウンディングＰＰＤＵ１１２、サウンディングＰＰＤＵ１２２、サウンディングＰＰＤＵ１３２をＡＰ１００に送信する。
【００３４】
サウンディングＰＰＤＵ１１２、サウンディングＰＰＤＵ１２２、及びサウンディングＰＰＤＵ１３２を受信したＡＰ１００は、受信したサウンディングＰＰＤＵを用いてチャネル推定を実行する。以後、ＡＰは、チャネル推定結果に基づいてＳＴＡ１、ＳＴＡ２、及びＳＴＡ３にＳＤＭＡデータ１０４をＳＤＭＡ送信する。
【００３５】
ＳＴＡ１、ＳＴＡ２、及びＳＴＡ３は、ＳＤＭＡデータ１０４を受信し、確認応答としてブロックＡＣＫ１１４、ブロックＡＣＫ１２４、及びブロックＡＣＫ１３４をＡＰに送信する。
【００３６】
この時、ＡＰ１００がＳＴＡ１、ＳＴＡ２、及びＳＴＡ３に送信するデータの量は、互いに異なる。言い換えれば、互いに異なる長さを有するデータフレームがＳＴＡ１、ＳＴＡ２、及びＳＴＡ３の各々に同時に送信されることができる。この時、無線リソースを効率的に活用するために、ＳＤＭＡ送信区間(ｔｒａｎｓｍｉｓｓｉｏｎ  ｄｕｒａｔｉｏｎ)の範囲内で複数のデータフレームを連続的に送信する多重フレーム送信が行われることができる。
【００３７】
図２は、多重フレーム送信の一例を示す。
【００３８】
図１のＳＤＭＡデータ１０４は、図１のＳＴＡ１に送信されるＳＤＭＡデータ２１０と、ＳＴＡ２に送信されるＳＤＭＡデータ２２０、ＳＤＭＡデータ２２１、及びＳＤＭＡデータ２２２と、ＳＴＡ３に送信されるＳＤＭＡデータ２３０及びＳＤＭＡデータ２３１と、で構成されることができる。
【００３９】
図２の例でＳＴＡ２へ送信されるＳＤＭＡデータフレーム２２０は、ＳＤＭＡ送信期間に比べて短い長さを有する。これによって、ＳＤＭＡ送信期間中、追加にＳＤＭＡデータ２２１、ＳＤＭＡデータ２２２を連続的にさらに送信することができる。
【００４０】
図２のように、ＳＤＭＡ送信期間中、ＳＴＡ１にＳＤＭＡデータ２１０が送信され、ＳＴＡ２にＳＤＭＡデータ２２０、ＳＤＭＡデータ２２１、及びＳＤＭＡデータ２２２が多重フレーム送信される場合、各ＳＴＡに同時に送信されるＳＤＭＡデータ間の同期化維持可否が問題になることができる。
【００４１】
図３は、ＳＤＭＡ送信で各ＳＴＡに送信されるフレーム間の同期化が維持されない問題点を示す。
【００４２】
図３は、図２の２００部分を拡大したものである。データフレームは、ＯＦＤＭ(ｏｒｔｈｏｇｏｎａｌ  ｆｒｅｑｕｅｎｃｙ  ｄｉｖｉｓｉｏｎ  ｍｕｌｔｉｐｌｅｘｉｎｇ)シンボル(ｓｙｍｂｏｌ)(図３のＩＦＦＴ/ＦＦＴ期間)とシンボル間干渉を避けるための保護間隔(Ｇｕａｒｄ  Ｉｎｔｅｒｖａｌ；ＧＩ)で構成される。ＩＥＥＥ８０２.１１ｎ標準によると、ＩＦＦＴ/ＦＦＴ期間(ｐｅｒｉｏｄ)は３.２μｓであり、ＧＩは０.８μｓである。以下、ＩＦＦＴ/ＦＦＴ期間とＧＩとを合わせてＯＦＤＭシンボル区間(ｓｙｍｂｏｌ  ｄｕｒａｔｉｏｎ)という。即ち、ＩＥＥＥ８０２.１１ｎ標準でＯＦＤＭシンボル区間は４.０μｓである。
【００４３】
図３でＳＴＡ１に送信されるＳＤＭＡデータ２１０とＳＴＡ２に送信されるＳＤＭＡデータ２２０は、同時に送信が開始される。ＳＤＭＡデータ２２０の送信が終わる前まで同じ長さを有するＯＦＤＭシンボル区間が繰り返されつつ、ＳＴＡ１とＳＴＡ２の同期化は維持される。図３には示していないが、ＳＴＡ３に送信されるＳＤＭＡデータ２３０も同様に同期化が維持される。
【００４４】
然しながら、ＳＤＭＡデータ２２０の送信が終わった後、連続的にＳＤＭＡデータ２２１の送信が開始されると、ＳＤＭＡデータ２１０とＳＤＭＡデータ２２１は同期化が維持されない。これはＳＤＭＡデータ２２０に連続して送信されるＳＤＭＡデータ２２１は、ＳＤＭＡデータ２２０送信後、ＲＩＦＳ３００以後に送信が行われるためである。ＩＥＥＥ８０２.１１ｎ標準によると、ＲＩＦＳ３００は２μｓである。以後、ＳＤＭＡデータ２１０とＳＤＭＡデータ２２１は、互いに同期化が維持されず、これは受信ＳＴＡ側で信号の干渉レベル(ｉｎｔｅｒｆｅｒｅｎｃｅ  ｌｅｖｅｌ)が高まり、具現上の複雑度(ｃｏｍｐｌｅｘｉｔｙ)が高まる問題点を招く。従って、ＳＤＭＡ送信をサポートする無線ＬＡＮシステムにおける多重フレーム送信で、各ＳＴＡに送信されるデータフレーム間の同期化を維持するための方法が必要である。
【００４５】
図４は、本発明が提案するＳｌｏｔｔｅｄ  ＲＩＦＳの一例を示す。
【００４６】
前述した多重フレーム送信で発生する各ＳＴＡに送信されるフレーム間の同期化が維持されない問題点は、多重フレーム送信でＩＦＳ(Ｉｎｔｅｒ−Ｆｒａｍｅ  Ｓｐａｃｅ)としてＲＩＦＳを適用することによって発生する。ＩＥＥＥ８０２.１１ｎ標準によると、ＲＩＦＳは２μｓであり、これはＯＦＤＭシンボル区間の倍数ではない。
【００４７】
本発明は、このような問題点を解決するために、ＩＦＳをＯＦＤＭシンボル期間の倍数に設定することを提案する。この場合、多重フレーム送信においてフレーム間の間隔は、ＩＥＥＥ８０２.１１ｎ標準によるＲＩＦＳ、即ち、２μｓでないＯＦＤＭシンボル期間(４μｓ)の倍数である０μｓ、４μｓ、８μｓ、…などになることができる。以下、本発明が提案するＯＦＤＭシンボル期間(４μｓ)の倍数に設定される新たなＩＦＳをＳｌｏｔｔｅｄ  ＲＩＦＳという。Ｓｌｏｔｔｅｄ  ＲＩＦＳという名称は任意である。
【００４８】
図４は、本発明の一実施例による多重フレーム送信を示し、Ｓｌｏｔｔｅｄ  ＲＩＦＳ４００は４μｓに設定された。図３の例と違って、ＳＤＭＡデータ２２０とＳＤＭＡデータ２２１のフレーム間の間隔に４μｓのＳｌｏｔｔｅｄ  ＲＩＦＳ４００が適用された結果、ＳＤＭＡデータ２１０とＳＤＭＡデータ２２１は相変らず同期化を維持することができるようになる。
【００４９】
本発明が提案するＳｌｏｔｔｅｄ  ＲＩＦＳは、ＭＵ−ＭＩＭＯで多重フレーム送信のために使われることができ、ＳＵ−ＭＩＭＯにおける多重フレーム送信においてはＳｌｏｔｔｅｄ  ＲＩＦＳ外にもＲＩＦＳが使われることができる。
【００５０】
ＡＰは、Ｓｌｏｔｔｅｄ  ＲＩＦＳの使用可能可否をＳＴＡに知らせることができる。一例に、ＳｌｏｔｔｅｄＲＩＦＳの使用可能可否を知らせるＳｌｏｔｔｅｄ  ＲＩＦＳビット(ｂｉｔ)を含むＶＨＴ運用情報要素(ＶＨＴ  ｏｐｅｒａｔｉｏｎｉｎｆｏｒｍａｔｉｏｎ  ｅｌｅｍｅｎｔ)をＳＴＡに送信することができる。ＶＨＴ運用情報要素は、ＩＥＥＥ８０２.１１標準のプローブ応答フレーム(ｐｒｏｂｅ  ｒｅｓｐｏｎｓｅ  ｆｒａｍｅ)またはビーコンフレーム(ｂｅａｃｏｎ  ｆｒａｍｅ)などに含まれてＳＴＡに送信されることができる。プローブ応答フレームまたはビーコンフレームを受信したＳＴＡは、ＶＨＴ運用情報要素のＳｌｏｔｔｅｄ  ＲＩＦＳビットによりＳｌｏｔｔｅｄ  ＲＩＦＳを使用することができるか否かを知ることができる。ＳｌｏｔｔｅｄＲＩＦＳビットが０に設定された場合、Ｓｌｏｔｔｅｄ  ＲＩＦＳは使われることができず、この時、多重フレーム送信におけるＩＦＳはＳＩＦＳに設定されることができる。ＩＥＥＥ８０２.１１ａ/ｎ標準によると、ＳＩＦＳは、１６μｓであり、ＯＦＤＭシンボル期間(４μｓ)の倍数である。Ｓｌｏｔｔｅｄ  ＲＩＦＳビットが１に設定された場合、多重フレーム送信におけるＩＦＳはＳｌｏｔｔｅｄ  ＲＩＦＳに設定されることができる。従って、多重フレーム送信は、ＳｌｏｔｔｅｄＲＩＦＳ間隔に発生するようになる。
【００５１】
一方、ＩＥＥＥ８０２.１１ｎ標準は、オーバーヘッドを減らすために、選択的に短い(ｓｈｏｒｔ)ＧＩを使用することができるようにしている。短いＧＩは、０.４μｓであり、ＰＬＣＰヘッダ(Ｈｅａｄｅｒ)のシグナル(ｓｉｇｎａｌ；ＳＩＧ)フィールドに短いＧＩの使用可否を指示するフィールドの設定によってデータフィールドに使われることができる。短いＧＩは、データフィールドに使われるため、短いＧＩが使われる場合、ＰＬＣＰヘッダとデータフィールドに使われるＯＦＤＭシンボル区間が変わることができる。言い換えれば、ＰＬＣＰヘッダに使われるＯＦＤＭシンボル区間は４.０μｓであり、データフィールドに使われるＯＦＤＭシンボル区間は３.６μｓである。
【００５２】
短いＧＩが使われる場合、多重フレーム送信において、同期化を維持するためには、全てのＳＴＡに対して送信されるフレームに短いＧＩが使われなければならない。図１の例でＳＴＡ１に対して送信されるフレームに短いＧＩが使われると、ＳＴＡ２、ＳＴＡ３に対して送信されるフレームにも短いＧＩが使われなければならない。言い換えれば、ＳＤＭＡ送信において、全ての空間ストリームには同じＧＩが使われなければならない。併せて、短いＧＩは、データフィールドにのみ適用されるため、多重フレーム送信において各々のフレームはその送信開始時点を同じに設定すべきである。従って、短いＧＩが使われる場合、本発明が提案するＳｌｏｔｔｅｄ  ＲＩＦＳをＩＦＳとして使用することのみでは、多重フレーム送信で同期化が維持されない問題を解決することができない。
【００５３】
図５は、本発明が提案する同期化された(ｓｙｎｃｈｒｏｎｉｚｅｄ)多重フレーム送信方式の一例を示す。
【００５４】
本発明が提案する同期化された多重フレーム送信方式は、多重フレーム送信で各フレームの送信開始時点を同期化して送信することである。言い換えれば、ＡＰは、ＳＴＡ１に多重フレーム送信するデータフレーム５１０とデータフレーム５１５を送信し、ＳＴＡ２に多重フレーム送信するデータフレーム５２０とデータフレーム５２５を送信する時には、データフレーム５２０の送信が終わった場合、ＲＩＦＳまたはＳＩＦＳ以後、次のフレーム５２５を送信しない。ＡＰは、データフレーム５１０の送信が終わることを待って、データフレーム５１０以後に送信されるデータフレーム５１５の送信が開始される時、データフレーム５２５の送信を開始する。即ち、データフレーム５１５の送信開始時点とデータフレーム５２５の送信開始時点をｔ_ｎ＋１に一致させる。多重フレーム送信において各フレームの送信開始時点は、図５のようにｔ_ｎ、ｔ_ｎ＋１に一致させて送信される。ＳＴＡ１、ＳＴＡ２、及びＳＴＡ３に対して送信されるフレームの送信開始時点は一致させ、いずれか一つのＳＴＡに対する送信が終わっても、残りのＳＴＡに対する送信が終わった後に、次のフレームの送信開始時点を再び一致させて送信する。これによって、短いＧＩを使用する場合にも各ＳＴＡに送信されるフレーム間の同期化が維持されることができる。
【００５５】
図５の例で、データフレーム５１５、データフレーム５２５、及びデータフレーム５３５の送信開始時点をｔ_ｎ＋１に一致させるために、ナルデータパディング(ｎｕｌｌ  ｄａｔａ  ｐａｄｄｉｎｇ)が使われることができる。データフレーム５１０以前に送信が終わるデータフレーム５２０及びデータフレーム５３０に対し、データフレーム５１０と送信終了時点が同じにするために、パッド５２１をデータフレーム５２０に、パッド５３１をデータフレーム５３０にパディング(ｐａｄｄｉｎｇ)することである。このようなナルデータパディングによりＳＴＡ１、ＳＴＡ２、及びＳＴＡ３に対して送信されるフレームの長さを同じにすることができる。
【００５６】
ナルデータパディングの一例に、パッド５２１及びパッド５３１は、何らのデータを含まない０のビット列である。他の一例に、ナルデータパディングにＡ−ＭＰＤＵ(ａｇｇｒｅｇａｔｅ  ＭＡＣ  ｐｒｏｔｏｃｏｌ  ｄａｔａ  ｕｎｉｔ)を用いることができる。
【００５７】
図６は、本発明の実施例に係るナルデータパディングに使われるＡ−ＭＰＤＵサブフレームフォーマットの一例である。
【００５８】
本発明の実施例に係るナルデータパディングに使われるＡ−ＭＰＤＵサブフレームは、ＭＰＤＵデリミタ６１０、ＭＰＤＵ６２０、パッド６３０を含む。パッド６３０は、Ａ−ＭＰＤＵの最後のＡ−ＭＰＤＵサブフレームを除き、各Ａ−ＭＰＤＵサブフレームの長さを４オクテットの倍数に設定するために付加される。ＭＰＤＵデリミタ６１０は、４オクテットの長さを有することができる。表１は、ＭＰＤＵデリミタフィールド６１０の構造(ｓｔｒｕｃｔｕｒｅ)の一例である。
【００５９】
【表１】
2014143715.tif 000003
表１のフィールド名称は任意であり、一部フィールドが追加されたり省略されることができる。ナルフィールド(Ｎｕｌｌ  ｆｉｅｌｄ)６１２は、１ビットの大きさを有することができ、１に設定されると、以後に送信されるＭＰＤＵはナルデータであることを指示することができる。
【００６０】
ＡＰは、特定ＳＴＡに送信するＭＰＤＵを集成(ａｇｇｒｅｇａｔｉｏｎ)し、これ以上集成するＭＰＤＵがない、或いは受信ＳＴＡのＡ−ＭＰＤＵ大きさの制限により、これ以上Ａ−ＭＰＤＵ大きさを増やすことができない場合、送信開始時点を一致させるためにナルパディングが使われる。ＡＰは、Ａ−ＭＰＤＵサブフレームのナルビットを１に設定し、以後送信されるＭＰＤＵはナルデータを送信する。
【００６１】
ＳＴＡは、Ａ−ＭＰＤＵを受信し、Ａ−ＭＰＤＵの各Ａ−ＭＰＤＵサブフレームのナルビットを確認する。ナルビットが１に設定されていることを確認すると、以後送信されるＡ−ＭＰＤＵサブフレームは、ナルデータであることを知るようになり、ＳＴＡは、以後送信されるＡ−ＭＰＤＵサブフレームをバッファに格納せずに、すぐに廃棄(ｄｉｓｃａｒｄ)することができる。
【００６２】
図７は、本発明の実施例が具現される無線装置の一例を示すブロック図である。無線装置７００は、ＡＰまたはｎｏｎ−ＡＰステーションである。
【００６３】
無線装置７００は、プロセッサ７１０、メモリ７２０、及び送受信機７３０を含む。送受信機７３０は、無線信号を送信/受信し、ＩＥＥＥ８０２.１１の物理階層が具現される。送受信機７３０は、多重アンテナを用いてＭＩＭＯ送信をサポートすることができる。プロセッサ７１０は、送受信機７３０と機能的に(ｏｐｅｒａｔｉｖｅｌｙ)連結され、ＩＥＥＥ８０２.１１のＭＡＣ階層及び物理階層を具現する。プロセッサ７１０が前述した方法のうち、ＡＰの動作を処理する時、無線装置７００はＡＰになる。プロセッサ７１０が前述した方法のうち、ＳＴＡの動作を処理する時、無線装置７００はＳＴＡになる。
【００６４】
プロセッサ７１０に具現された無線装置のＭＡＣ階層は、前述した多重フレームを生成し、前述したＡ−ＭＰＤＵサブフレームを集成してＡ−ＭＰＤＵを生成する。Ａ−ＭＰＤＵは、ＰＬＣＰ階層、ＰＭＤ階層を経て送受信部７３０を介して送信される。本発明によるマルチャネルでのフレーム送信方法をサポートするＭＡＣ階層及びＰＨＹ階層は、各々、モジュール化し、プロセッサ７１０及び送受信機７３０に具現されることができる。
【００６５】
プロセッサ７１０及び/または送受信機７３０は、ＡＳＩＣ(ａｐｐｌｉｃａｔｉｏｎ−ｓｐｅｃｉｆｉｃ  ｉｎｔｅｇｒａｔｅｄ  ｃｉｒｃｕｉｔ)、他のチップセット、論理回路及び/またはデータ処理装置を含むことができる。メモリ７２０は、ＲＯＭ(ｒｅａｄ−ｏｎｌｙ  ｍｅｍｏｒｙ)、ＲＡＭ(ｒａｎｄｏｍ  ａｃｃｅｓｓ  ｍｅｍｏｒｙ)、フラッシュメモリ、メモリカード、格納媒体及び/または他の格納装置を含むことができる。実施例がソフトウェアで具現される時、前述した技法は、前述した機能を遂行するモジュール(過程、機能など)で具現されることができる。モジュールは、メモリ７２０に格納され、プロセッサ７１０により実行されることができる。メモリ７２０は、プロセッサ７１０の内部または外部にあり、よく知られた多様な手段でプロセッサ７１０と連結されることができる。
【００６６】
前述した実施例は多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する他の交替、修正及び変更を含む。
【図１】
2014143715.tif 000004
【図２】
2014143715.tif 000005
【図３】
2014143715.tif 000006
【図４】
2014143715.tif 000007
【図５】
2014143715.tif 000008
【図６】
2014143715.tif 000009
【図７】
2014143715.tif 000010